(57)【特許請求の範囲】
【請求項１】
前枠(53)にヒンジ(85a) を介して開閉自在に枢支され且つ前枠(53)に装着された遊技盤(58)を前枠(53)側に押さえて固定する裏機構板(84)に、遊技盤(58)の後側の裏カバー(83)が嵌合する開口窓(85)を形成すると共に、上部基板(127) とこの上部基板(127) に接続された満杯表示ランプ(128) 及び他の電気部品(129)(130)(131) を開口窓(85)の上側で裏機構板(84)に設け、下皿(73)内の遊技球の満杯を検出する満杯検出スイッチ(154) を開口窓(85)の下側で裏機構板(84)に設け、上部基板(127) と裏機構板(84)の下部側の下部基板(103) とをリード線(156) を介して接続し、遊技盤(58)の後側に通過した遊技球を回収する遊技球回収通路(96)を満杯検出スイッチ(154) よりもヒンジ(85a) 側で且つ開口窓(85)よりも下側において裏機構板(84)の後側に上下方向に形成し、上部基板(127) 、満杯表示ランプ(128) 、他の電気部品(129)(130)(131) 、満杯検出スイッチ(154) 及び下部基板(103) を接続するリード線(132)(133)(134)(135)(156)(157)を裏機構板(84)の前側に沿って配線した弾球遊技機において、裏機構板(84)の前側に、遊技球回収通路(96)の上下方向の中途部で該遊技球回収通路(96)の前側を左右に横切るようにリード線配線部(140) を設け、満杯検出スイッチ(154) をリード線配線部(140) の前側に左右方向に配置されたリード線(157) と、裏機構板(84)のヒンジ(85a) 側の縦板部(91)に沿ってその前側に配置された多数本のリード線(156) の一部のリード線(156a)とを介して上部基板(127) に接続したことを特徴とする弾球遊技機。
【請求項２】
満杯検出スイッチ(154) のリード線(157) を下部基板(103) に接続し、この下部基板(103) を経由して他のリード線(156) と共にリード線(156a)を介して満杯検出スイッチ(154) を上部基板(127) に接続したことを特徴とする請求項１に記載の弾球遊技機。
【請求項３】
遊技球回収通路(96)を構成する通路壁(137)(138)を裏機構板(84)の後側に一体に形成したことを特徴とする請求項１又は２に記載の弾球遊技機。
【発明の詳細な説明】
【０００１】
【産業上の利用分野】
本発明は、パチンコ機、アレンジボール機、雀球機等の弾球遊技機に関し、裏機構板の下部側にある満杯検出スイッチのリード線の効率的に配線するようにしたものである。
【０００２】
【従来の技術】
パチンコ機等の弾球遊技機は、従来、図１２に示すように、外枠１  とこの外枠１  に開閉自在に枢着された前枠２  とからなる弾球遊技機本体３  を備え、その前枠２  の後側に遊技盤４  、発射装置５  、裏機構板６  、賞球タンク７  、賞球払い出し装置８  、通路ユニット９  等が設けられている。
【０００３】
前枠２  には、後側から遊技盤４  が着脱自在に嵌着されると共に、この遊技盤４  を前枠２  側に押さえて固定する裏機構板６  が開閉自在に枢支されている。遊技盤４  には入賞装置等の遊技部品と、この遊技部品等を後側から覆う裏カバー１０とが装着され、その裏カバー１０の後部に、遊技盤４  側の遊技動作及び賞球払い出し装置８  の払い出し動作等を制御する電子部品組み込んだ遊技制御基板１１が取り付けられている。
【０００４】
裏機構板６  には、図１３に示すように、上下一対の横板部１２，１３  と左右一対の縦板部１４，１５  とを一体に備え、この各板部１２〜１５間に、遊技盤４  を押さえた時にその裏カバー１０が嵌合する開口窓１６が形成されている。開口窓１６の上側の横板部１２には、賞球タンク７  、上部基板１７、満杯表示ランプ１８、払い出し表示ランプ１９、球切れ表示ランプ２０及び球切れ検出スイッチ２１が設けられている。
【０００５】
満杯表示ランプ１８、払い出し表示ランプ１９、球切れ表示ランプ２０及び球切れ検出スイッチ２１は、図１５に示すように、各リード線２２〜２５を介して上部基板１７に接続されている。球切れ検出スイッチ２１は賞球タンク７  の球切れを検出するためのものである。
【０００６】
開口窓１６の一側の縦板部１４には、賞球払い出し装置８  が上下方向に装着されている。開口窓１６の下側の横板部１３には、通路ユニット９  と満杯検出スイッチ４２が設けられている。通路ユニット９  は、賞球払い出し装置８  から払い出された遊技球を前枠２  の前面側の上皿に案内する賞球案内通路２６と、上皿の遊技球が満杯時に、賞球払い出し装置８  からの遊技球を溢流させる溢流案内通路２７と、溢流案内通路２７からの遊技球を落下させて前枠２  の前面側の下皿に案内する落下案内通路２８と、ゲーム時に遊技盤４  の後側に通過した遊技球を島側に回収する回収通路２９とを備え、裏機構板６  の後側に着脱自在に装着されている。
【０００７】
裏機構板６  には、その内周側の前後に内周補強リブ３０が逆Ｕ字状に、外周側に外周補強リブ３１が周方向の全周に夫々一体に形成されている。
通路ユニット９  の回収通路２９に対応する部分の裏機構板６  は、図１４に示すような構造になっている。即ち、裏機構板６  の横板部１３には、その上部側に遊技球案内部３２が、この遊技球案内部３２の左右方向の一端側の下部に回収口部３３が夫々設けられている。遊技球案内部３２及び回収口部３３は、各補強リブ３０，３１  の前端と面一状となるように裏機構板６  の前側に一体に突出形成され、また回収口部３３と下端の外周補強リブ３１との間には、回収口部３３の左右両側に一致するように左右一対の縦補強リブ３４が設けられている。回収口部３３は、通路ユニット９  の回収通路２９に連通されている。
【０００８】
上部基板１７は両端にコネクタ３５，３６  を備えた多数本のリード線３７を介して前枠側基板（下部基板）３８に接続されている。前枠側基板３８は回収通路２９を挟んで満杯検出スイッチ４２と左右反対側において、裏機構板６  の下部側で前枠２  の裏面等に固定されている。前枠側基板３８はリード線を介して発射装置５  の発射制御基板４０に、上部基板１７はフラットケーブル４１を介して裏カバー１０側の遊技制御基板１１に夫々接続されている。満杯検出スイッチ４２はリード線４３を介して上部基板１７に接続されている。そして、各リード線２２〜２５，３７，４３は、裏機構板６  の前側に沿って配線されている。
【０００９】
【発明が解決しようとする課題】
従来の弾球遊技機では、満杯検出スイッチ４２のリード線４３を、上部基板１７と前枠側基板３８とを接続する多数本のリード線３７から分離し、この両リード線３７，４３  を開口窓１６の両側の各縦板部１４，１５  に振り分けて別々に配線する必要がある。
即ち、従来の弾球遊技機では、裏機構板６  の通路ユニット９  に対応する後側を面一状に平坦に形成し、その平坦部分に、裏機構板６  とは別体に構成した通路ユニット９  を後側から装着して固定する構造を採っている。
【００１０】
しかし、この構造では、裏機構板６  の通路ユニット９  の装着部位の強度が低下するため、裏機構板６  の前面側に、回収口部３３の両側に対応する幅で左右一対の縦補強リブ３４を一体に形成し、この一対の縦補強リブ３４によって裏機構板６  の横板部１３の強度を確保する必要がある。
【００１１】
一方、満杯検出スイッチ４２と前枠側基板３８は、他の各構成部品等の全体の配置上から、回収通路２９を挟んで左右両側に配置する必要がある。
従って、縦板部１４側には多数のリード線３７を束ねた状態で上下方向に配線しているが、満杯検出スイッチ４２のリード線４３を縦補強リブ３４を横切るように配線し、縦板部４  側の多数のリード線３７と一緒に束ねて配線するようなことはできず、満杯検出スイッチ４２のリード線４３のみを独立させて縦板部１５に沿って配線しなければならない。
【００１２】
この結果、各リード線３７，４３  の配線作業が煩わしくなると共に、左右の各縦板部１４，１５  の夫々にリード線３７，４３  を係止するためのリード線係止部を設ける必要があり、裏機構板６  を合成樹脂材料で一体成形する場合の金型構造が非常に複雑になり、裏機構板６  の製作コストがアップする欠点がある。
【００１３】
また裏機構板６  の左右の縦板部１４，１５  は、一方の縦板部１４に賞球払い出し装置８  を装着する関係から、一方側の縦板部１４の幅を大にせざるを得ないので、他方の縦板部１５の幅を小にして開口窓１６の大きさを確保するようにしている。
しかし、従来の裏機構板６  では、両方の縦板部１４，１５  にリード線３７，４３  を配線するため、賞球払い出し装置８  を装着しない側の縦板部１５の幅も狭くできず、開口窓１６の左右幅を大きくする上でも限度がある。
【００１４】
即ち、縦板部１５側はリード線４３を配線しなければ、両補強リブ間を左右に連結する連結リブ３０，３１  を一体に形成する等の他の補強構造で補強することによって、その左右幅を狭くし、開口窓１６の開口量を大きくすることもできる。
しかしながら、従来は縦板部１５にリード線４３を通す必要があるため、作業性、或いはリード線係止部の構造等を考えた場合、この縦板部１５の左右幅を狭くすることはできない。
【００１５】
また満杯検出スイッチ４２は、下皿の満杯時に、満杯表示ランプ１８を点灯させて遊技者に満杯状態であることを表示すると同時に、発射装置５  の発射動作を自動的に停止させるようになっている。
【００１６】
このため、従来は満杯検出スイッチ４２をリード線４３を介して上部基板１７に接続し、この上部基板１７からリード線２２を介して満杯表示ランプ１８に接続する一方、リード線３７中の一部を介して前枠側基板３８から発射制御基板４０に接続する必要がある。従って、従来では、満杯検出スイッチ４２に関係するリード線が裏機構板６  の開口窓１６を殆ど一周するようになっており、リード線を無駄に消費する欠点がある。
【００１７】
本発明は、かかる従来の課題に鑑み、遊技球回収通路の前側を左右方向に通って満杯検出スイッチのリード線を効率的に配線できると共に、配線作業の能率化と裏機構板の構造の簡素化が可能になり、しかもリード線の使用量を削減でき、更には開口窓の開口量大きくできる弾球遊技機を提供することを目的とする。
【００１８】
【課題を解決するための手段】
本発明は、前枠53にヒンジ85a を介して開閉自在に枢支され且つ前枠53に装着された遊技盤58を前枠53側に押さえて固定する裏機構板84に、遊技盤58の後側の裏カバー83が嵌合する開口窓85を形成すると共に、上部基板127 とこの上部基板127 に接続された満杯表示ランプ128 及び他の電気部品129,130,131 を開口窓85の上側で裏機構板84に設け、下皿73内の遊技球の満杯を検出する満杯検出スイッチ154 を開口窓85の下側で裏機構板84に設け、上部基板127 と裏機構板84の下部側の下部基板103 とをリード線156 を介して接続し、遊技盤58の後側に通過した遊技球を回収する遊技球回収通路96を満杯検出スイッチ154 よりもヒンジ85a 側で且つ開口窓85よりも下側において裏機構板84の後側に上下方向に形成し、上部基板127 、満杯表示ランプ128 、他の電気部品129,130,131 、満杯検出スイッチ154 及び下部基板103 を接続するリード線132,133,134,135,156,157 を裏機構板84の前側に沿って配線した弾球遊技機において、裏機構板84の前側に、遊技球回収通路96の上下方向の中途部で該遊技球回収通路96の前側を左右に横切るようにリード線配線部140 を設け、満杯検出スイッチ154 をリード線配線部140 の前側に左右方向に配置されたリード線157 と、裏機構板84のヒンジ85a 側の縦板部91に沿ってその前側に配置された多数本のリード線156 の一部のリード線156aとを介して上部基板127 に接続したものである。
【００２１】
【作用】
下皿７３の遊技球が満杯状態になると、満杯検出スイッチ１５４  がその満杯を検出して、発射装置７４による遊技球の発射を停止すると共に、満杯表示ランプ１２８  が点灯して、下皿７３の遊技球が満杯状態であることを表示する。
満杯検出スイッチ１５４  のリード線１５７  は、遊技球回収通路９６の前側を横切るように、リード線配線部１４０  を経て左右方向に配線して下部基板１０３  に接続し、この下部基板１０３  と上部基板１２７  とをリード線１５６  で接続する。このため、配線作業が容易であり、リード線の無駄もない。
【００２２】
【実施例】
以下、本発明の実施例を図面に基づいて詳述する。
図１はカード式アレンジボール機の正面図であり、５０はアレンジボール機本体で、矩形枠状の外枠５１と、この外枠５１の前面に左右方向の一端側のヒンジ５２により縦軸廻りに開閉自在に枢着された前枠５３とによって構成されている。アレンジボール機本体５０は、カード式の自動球貸し機５４と左右に交互に並べた状態で島側に装着されている。
【００２３】
前枠５３には窓孔５５と、この窓孔５５に上下に配置され且つ開閉自在に枢支されたガラス扉５６及び前面板５７を備え、窓孔５５に対応して前枠５３の後側に遊技盤５８が着脱自在に装着されている。
なお、自動球貸し機５４は、プリペイドカードを挿脱自在に挿入するカード挿入口５９を備え、そのカード挿入口５９にプリペイドカードを挿入した時にカード挿入表示灯６０が点灯するようになっている。
【００２４】
遊技盤５８の前面には、遊技球を案内するガイドレール６１が設けられると共に、このガイドレール６１によって取り囲まれた中央部に画像表示装置６２、入球口６３〜６５、下部入球装置６６及び下部カバー６７が配置されている。また遊技盤５８の前面には、ガイドレール６１の外側に満杯表示部６８、払い出し表示部６９、球切れ表示部７０が設けられている。
【００２５】
前面板５７には遊技球供給用の上皿７１が設けられ、この上皿７１の上縁部に球貸し操作部７２が設けられている。前枠５３の下部には下皿７３と発射装置７４用の発射ハンドル７５が夫々設けられている。
図２はアレンジボール機の背面図を示す。図２において、７６は発射装置７４の発射モータで、図３及び図４に示すように、前枠５３の後側に固定され、その回転軸に固定されたカム７８等を介して打撃槌７９を駆動するようになっている。
【００２６】
打撃槌７９は前枠５３に枢支され、発射ハンドル７５を操作した時に、上皿７１から発射レール８０上に１個づつ供給される遊技球を打撃してガイドレール６１へと発射するようになっている。発射モータ７６はモータ取り付け台８１を介して前枠５３に固定され、またモータ取り付け台８１には発射モータ７６を制御する発射制御基板８２が取り付けられている。
【００２７】
８３は裏カバーで、遊技盤５８の後側に突出する画像表示装置６２、入球口６３〜６５等の各遊技部品と、これらの下側の下部入球装置６６とを後側から覆うように、遊技盤５８の裏面側に装着されている。
８４は裏機構板で、前枠５３側に装着された遊技盤５８を後側から押さえて固定するためのものであり、前枠５３の後側に左右方向の一端側のヒンジ８５ａ  により縦軸廻りに開閉自在に枢支され、且つ遊技盤５８を押さえ付ける閉状態でロックレバーにより前枠５３側にロックするようになっている。
【００２８】
裏機構板８４は、図１０に示すように、上下一対の上横板部８９及び下横板部９０と、左右一対の左縦板部９１及び右縦板部９２とを夫々有し、これらに取り囲まれるように開口窓８５が形成されている。開口窓８５は裏機構板８４で遊技盤５８を押さえて固定した時に、この開口窓８５に裏カバー８３が嵌合して後方に突出するようになっている。
【００２９】
８６は賞球を貯留する賞球タンクで、裏カバー８３の上側で裏機構板８４の後側に装着されている。８７は賞球払い出し装置で、払い出しモータ８８を備えると共に、裏カバー８３のヒンジ８５ａ  側の近傍で左縦板部９１の裏面側の左右一側に縦長状に装着されており、賞球タンク８６から供給される賞球を所要数づつ上皿７１へと払い出すように構成されている。
【００３０】
９３は通路ユニットで、下部入球装置６６及び賞球払い出し装置８７の下側で裏機構板８４の下横板部９０に装着されている。通路ユニット９３は、図３に示すように、賞球払い出し装置８７から払い出された賞球を上皿７１に案内する賞球案内通路９４と、上皿７１の遊技球が満杯状態の時に、賞球払い出し装置８７から払い出される賞球を下皿７３に溢流させる溢流案内通路９５と、ゲーム時に遊技盤５８の後側に通過した遊技球を島側に回収する遊技球回収通路９６と、賞球払い出し装置８７側からの賞球の抜き取り時に、この賞球払い出し装置８７からの賞球を遊技球回収通路９６に案内する抜き取り案内通路９７と、溢流案内通路９５から落下する賞球を下皿７３側に案内する落下案内通路９８とを備えている。
【００３１】
９９は裏カバー８３の下部に装着された遊技制御ユニットで、ゲーム時に遊技盤５８側の遊技動作を制御するＩＣ素子等の電子部品を装着した遊技制御基板１００  が遊技制御ケース１０１  内に組み込まれている。１０２  は払い出し制御ユニットで、賞球払い出し装置８７の払い出し動作の制御を司るＩＣ素子等の電子部品を装着した払い出し制御基板（下部基板）１０３  が払い出し制御ケース１０４  内に組み込まれている。
【００３２】
１０５  は球貸し制御ユニットで、自動球貸し機５４を使用する時に、球貸し操作部７２からの指令に応じて賞球払い出し装置８７を作動させて、貸し球を上皿７１に払い出させるための球貸し制御基板１０６  が球貸し制御ケース１０７  内に組み込まれている。そして、これらの払い出し制御ユニット１０２  及び球貸し制御ユニット１０５  は、下部入球装置６６及び裏カバー８３の下側近傍で通路ユニット９３の後側に左右に並べて装着されている。
【００３３】
遊技盤５８は、図４及び図５に示すように、下セット板１０８  の上側で三方枠１０９  に後側から着脱自在に嵌合され、且つ裏機構板８４により後側から押さえて固定されている。三方枠１０９  は、前枠５３に形成された窓孔５５に対応して門形状に構成され、前枠５３の裏面側に固定されている。そして、三方枠１０９  の下部側に下セット板１０８  が装着されている。
【００３４】
画像表示装置６２は、図５に示すように、遊技盤５８に前側から装着された表示窓枠１１０  と、表示窓枠１１０  に対応する液晶型の画像表示部１１１  と、画像表示部１１１  を前側から透視可能に覆う保護板１１２  とを備えている。画像表示部１１１  は、これを駆動するための駆動基板１１３  と共に表示部ケース１１４  内に組み込まれており、表示部ケース１１４  を介して球集合板１１５  に後側から着脱自在に装着されている。
【００３５】
駆動基板１１３  には、入球口６３〜６５に遊技球が入球した時に３桁の数字図柄を一定時間だけ変動表示する図柄表示機能と、その停止図柄が「７・７・７」等の当たり図柄の時に大当たりを表示する大当たり表示機能、入賞役の成立を表示する入賞役表示機能、入賞得点を表示する入賞得点表示機能、ゲーム回数を表示するゲーム回数表示機能、及びゲーム中にその他の所定の遊技情報を画像表示する遊技情報機能を有し、その各機能に基づいて画像表示部１１１  に各画像を表示させるようになっている。
【００３６】
球集合板１１５  は各入球口６３〜６５に入球した遊技球を下側に案内する案内通路１１６  が一体に形成され、下部入球装置６６の上側で遊技盤５８の後側に装着されている。
下部入球装置６６は、図３乃至図６に示すように、１６個の入球口１１７  を有する入球ケース１１８  と、入球口１１７  等に入球して遊技盤５８の後側に通過した後の遊技球を集球して、球集合板１１５  からの遊技球と共に通路ユニット９３の遊技球回収通路９６側に案内する集球ケース１１９  と、各入球口１１７  に入球した遊技球を検出する入球検出スイッチ１２０  とを備えている。
【００３７】
裏カバー８３は、図５に示すように、画像表示装置６２、入球口６３〜６５、球集合板１１５  等から下部入球装置６６に跨がって、これら全体を後側から覆うように、遊技盤５８の裏面側に着脱自在に装着されている。裏カバー８３は遊技盤５８側が開放した箱状であって、この裏カバー８３の上半分には後方に膨らむ膨らみ部１２１  が備えられ、その膨らみ部１２１  の下側に遊技制御ユニット９９が着脱自在に装着されている。
【００３８】
下セット板１０８  は、図４に示すように、前面板５７の後側で前枠５３に固定されており、この下セット板１０８  には発射装置７４の発射レール８０、効果音発生用のスピーカー１２２  及び前枠側基板１２３ａ等が装着されている。
前枠側基板１２３ａは、図２に示すように、発射装置７４の上側近傍で且つ発射装置７４と払い出し制御ケース１０４  との間に対応する位置に配置され、下セット板１０８  の後側に着脱自在に装着されている。この前枠側基板１２３ａには、発射装置７４の発射モータ７６を制御する電子部品の他、前枠５３側に装着されるスピーカー１２２  等の付属機器類に関連する電子部品が装着されている。
【００３９】
裏機構板８４には、図４及び図１０に示す如く、その内周補強リブ１２３  と外周補強リブ１２４  とが内外両側に一体に形成されている。内周補強リブ１２３  は、開口窓８５の周縁部分で裏機構板８４の前後両側に突出して一体に形成されると共に、賞球払い出し装置８７の下側の下隅部を除くように、その全周に亘って周方向に連続状に形成されている。
【００４０】
内周補強リブ１２３  と外周補強リブ１２４  との間隔は、図１０に示すように左縦板部９１が大であり、右縦板部９２が小である。そして、左縦板部９１の上部側には、内周補強リブ１２３  と外周補強リブ１２４  とを連結し補強する連結リブ１２５  が上下、左右に一体に形成され、また右縦板部９２には、両補強リブ１２３，１２４  間を左右に連結する連結リブ１２６  が上下方向に複数個形成されている。
【００４１】
裏機構板８４の上横板部８９には、図１０に示すように、賞球タンク８６の他に上部基板１２７  、満杯表示ランプ１２８  、払い出し表示ランプ１２９  、球切れ表示ランプ１３０  及び球切れ検出スイッチ１３１  が装着されている。満杯表示ランプ１２８  、払い出し表示ランプ１２９  及び球切れ表示ランプ１３０  は、遊技盤５８の満杯表示部６８、払い出し表示部６９及び球切れ表示部７０に夫々対応するように配置され、また球切れ検出スイッチ１３１  は賞球タンク８６の球切れを検出するようになっている。
【００４２】
上部基板１２７  は外部情報取り出し兼用であって、この上部基板１２７  には外部接続端子（図示省略）が装着されると共に、図１１に示すように、リード線１３２  〜１３５  を介して満杯表示ランプ１２８  、払い出し表示ランプ１２９  、球切れ表示ランプ１３０  及び球切れ検出スイッチ１３１  が接続されている。
【００４３】
通路ユニット９３は、図３に示すように、左縦板部９１から下横板部９０に跨がって裏機構板８４の下隅部の後側に配置されている。そして、この通路ユニット９３の各通路９４〜９８は、図３、図６乃至図９に示すように構成されている。
【００４４】
即ち、遊技球回収通路96は、図３に示すように、下横板部90の左右方向の中央よりも左側に偏位して上下方向に配置され、この遊技球回収通路96の右側に落下案内通路98が配置されている。遊技球回収通路96は、裏機構板84の下横板部90に形成された傾斜壁部136 と、この傾斜壁部136 の左右両側から後方に下横板部90と一体に突出形成された左右一対の通路壁137,138 と、この通路壁137,138 間を後側から塞ぐ通路カバー139 とによって構成されている。
【００４５】
傾斜壁部１３６  は上端が内周補強リブ１２３  の前端と一致するように傾斜状に形成され、この傾斜壁部１３６  の下側で下横板部９０の前側がリード線配線部１４０  となっている。リード線配線部１４０  は下横板部９０の他の部分と面一状である。
【００４６】
抜き取り案内通路９７は、図３及び図８に示すように、賞球払い出し装置８７と遊技球回収通路９６の中途部との間に略Ｌ字状に屈曲して配置されている。抜き取り案内通路９７は、裏機構板８４の左縦板部９１及び下横板部９０に跨がって一体に突出して形成された内外一対の通路壁１４１，１４２  と、この通路壁１４１，１４２  間を後側から塞ぐ通路カバー１３９  とによって構成されている。
【００４７】
賞球案内通路９４は、図７乃至図９に示すように、賞球払い出し装置８７の払い出し口の下側の縦通路部１４３  と、この縦通路部１４３  の下端から左右内側方に屈曲し傾斜する傾斜通路部１４４  と、この傾斜通路部１４４  の端部から下方に延びて上皿７１側に連通する落下通路部１４５  とを備え、その落下通路部１４５  の上部に、前下がりに傾斜して傾斜通路部１４４  からの賞球を落下通路部１４５  内に落下させる落下テーブル１４６  とを備えている。
【００４８】
縦通路部１４３  と傾斜通路部１４４  は、通路カバー１３９  の上端部に、この通路カバー１３９  から後側に膨らむように背面視略Ｌ字状に突出形成された膨出壁部１４７  により構成されている。縦通路部１４３  は、抜き取り案内通路９７の上端部の後側に重なっており、金属板製の区画板１４８  により前後に区画されている。
【００４９】
溢流案内通路９５は、図３、図８に示すように、上端側が落下テーブル１４６  の下側で落下通路部１４５  に連通すると共に、落下案内通路９８の近傍において、上下方向の遊技球回収通路９６に対してその後側で左右方向に交差するように設けられている。溢流案内通路９５は、下横板部９０と一体に形成された通路壁１４１，１４９  と、一対の通路壁１４１，１４９  間を後側から塞ぐ通路カバー１３９  とにより構成されている。そして、溢流案内通路９５と遊技球回収通路９６との交差部は、区画板１５０  によって前後に区画されている。
【００５０】
落下案内通路９８は、図３、図７及び図８に示すように、裏機構板８４の下横板部９０一体形成された上通路壁１５１  及び垂下通路壁１５２  と、これらの上通路壁１５１  及び垂下通路壁１５２  の後側を塞ぐ通路カバー１３９  とによって、下側が開口するように構成されている。
【００５１】
落下案内通路９８には、その垂下通路壁１５２  の内外両近傍に揺動レバー１５３  と満杯検出スイッチ１５４  とが配置され、下皿７３内の遊技球が満杯状態まで溜まった時に、揺動レバー１５３  が揺動して満杯検出スイッチ１５４  を作動させるようになっている。
なお、揺動レバー１５３  と溢流案内通路９５の開口端との間には、溢流案内通路９５から落下案内通路９８内に落下する賞球を下側に案内するための案内部材１５５  が配置されている。
【００５２】
上部基板127 は、図１０に示すように、裏機構板84の左縦板部91に沿って前側に配線された多数本のリード線156 を介して前枠側基板123aに接続されている。満杯検出スイッチ154 は、遊技球回収通路96の前側を横切るように、下横板部90に沿ってリード線配線部140 に左右方向に配線されたリード線157 に接続され、このリード線157 の他端は払い出し制御基板103 に接続されている。
【００５３】
そして、満杯検出スイッチ１５４  は、リード線１５７  と、多数本のリード線１５６  の内の一部のリード線１５６ａとを介して上部基板１２７  に接続されている。払い出し制御基板１０３  は遊技盤制御基板１００  、球貸し制御基板１０６  及び前枠側基板１２３ａに接続され、前枠側基板１２３ａは発射制御基板８２に接続されている。
【００５４】
上記構成において、ゲームに際しては、自動球貸し機５４のカード挿入口５９にカードを挿入した後、球貸し操作部７２を操作すると、その操作回数に応じた払い出し指令が球貸し制御基板１０６  を経て払い出し制御基板１０３  側に送られるので、賞球払い出し装置８７の払い出しモータ８８が作動し、賞球タンク８６からの遊技球を繰り出して払い出して行く。そして、この賞球払い出し装置８７により払い出された遊技球は、賞球案内通路９４の縦通路部１４３  から傾斜通路部１４４  を経て、落下テーブル１４６  から落下通路部１４５  内に落下し上皿７１へと案内されて行く。
【００５５】
ゲーム時には、上皿７１に遊技球を入れた状態で発射装置７４の発射ハンドル７５を操作すると、発射モータ７６が作動してカム７８により打撃槌７９を駆動し、その打撃槌７９によって発射レール８０上の遊技球をガイドレール６１に沿って遊技盤５８上に順次発射する。
【００５６】
遊技盤５８に沿って落下する遊技球は、上入球口６３等に入球するか、又は下部入球装置６６の１６個の入球口１１７  の何れかに入球する。上入球口６３等に入球した遊技球は、遊技盤５８の裏側に通過して球集合板１１５  を経て集球ケース１１９  内に落下し、また下部入球装置６６の入球口１１７  に入球した遊技球は、遊技盤５８の裏側に通過して集球ケース１１９  内に落下する。そして、集球ケース１１９  内の遊技球は、経て通路ユニット９３の遊技球回収通路９６へと落下し、この遊技球回収通路９６から島側に回収されて行く。
【００５７】
下部入球装置６６の入球口１１７  に遊技球が入球し、各入球位置の入球検出スイッチ１２０  が遊技球を検出すると、その検出信号を遊技制御基板１００  側で処理して入賞役の成立か否かを判定し、入賞役が成立した時に、その難易度に応じた得点を計上する。この時にも画像表示部１１１  に入賞役の成否、得点等を表示する。
【００５８】
また上入球口６３に遊技球が入球すると、画像表示装置６２の画像表示部１１１  に変動図柄が表示され、その各図柄が一定時間だけ変動する。そして、その停止図柄が「７・７・７」等の当たり図柄であれば、一定の条件下で入賞得点を増加させる等、遊技者に利益を還元する。
【００５９】
入賞得点が計上されると、その都度、払い出しモータ８８が作動して回転体が回転し、払い出しケースの供給通路内の賞球を所定数づつ繰り出して払い出し口から下方に払い出して行く。そして、この賞球は、賞球案内通路９４の縦通路部１４３  から傾斜通路部１４４  、落下テーブル１４６  及び落下通路部１４５  を介して上皿７１に案内されて行く。
【００６０】
上皿７１が満杯状態になると、落下テーブル１４６  から落下する遊技球は、下側に貯留状態の遊技球の上に落下した後、溢流案内通路９５側へと溢流して、この溢流案内通路９５を経て落下案内通路９８内へと流れて行く。落下案内通路９８内の遊技球は案内部材１５５  に衝突して下側に落下する。
【００６１】
下皿７３内の遊技球が満杯状態になると、この下皿７３から落下案内通路９８の下部側まで遊技球が充満するため、その遊技球によって揺動レバー１５３  が揺動して満杯検出スイッチ１５４  を作動させる。そして、この満杯検出スイッチ１５４  が下皿７３の遊技球の満杯を検出すると、リード線１５７  、払い出し制御基板１０３  等を介して発射制御基板８２に検出信号を送り、発射モータ７６を止めて打撃槌７９による遊技球の発射動作を停止させる。これと同時に払い出し制御基板１０３  からリード線１５６ａを介して上部基板１２７  に満杯検出スイッチ１５４  の検出信号を送り、満杯表示ランプ１２８  を点灯させる。
【００６２】
この実施例では、裏カバー８３の上部側に膨らみ部１２１  を、その下側に、遊技制御基板１００  を入れた遊技制御ユニット９９を配置しているため、この膨らみ部１２１  を含む裏カバー８３内の容積を十分に確保できる。従って、裏カバー８３の膨らみ部１２１  内に、遊技盤５８からの突出量の大きい遊技部品でも十分に組み込むことが可能となり、遊技盤５８に装着する遊技部品を自由に選択できる。
【００６３】
裏カバー８３は下部入球装置６６までを覆う大きさであり、下部入球装置６６に対応する部分の後方への突出量を膨らみ部１２１  に比べて小さくし、この部分の裏カバー８３の後側に遊技制御ユニット９９を設けているので、膨らみ部１２１  の後側に遊技制御ユニット９９を設ける場合に比較して、膨らみ部１２１  の後方への突出量を十分に確保できる。また裏カバー８３で下部入球装置６６を覆っているため、下部入球装置６６を裏カバー８３で保護でき、下部入球装置６６の損傷等を少なくできる。
【００６４】
遊技盤５８側の遊技動作を制御する遊技制御ユニット９９とは別に、賞球払い出し装置８７の払い出し動作を制御する払い出し制御ユニット１０２  を備え、遊技制御ユニット９９を裏カバー８３の後側下部に、払い出し制御ユニット１０２  を裏カバー８３の下側で通路ユニット９３の後側に夫々装着しているため、裏カバー８３側に装着する遊技制御ユニット９９を小さくできる。
【００６５】
また払い出し制御ユニット１０２  と球貸し制御ユニット１０５  を左右に近接させて配置しているため、両制御ユニットを上下に配置する場合に比較して、裏機構板８４の裏カバー８３から下側の長さを短くでき、裏機構板８４の小型化を図ることが可能である。
【００６６】
裏機構板８４の後側に通路壁１３７，１３８，１４１，１４２，１４９，１５１，１５２  を一体に形成し、この通路壁１３７，１３８，１４１，１４２，１４９，１５１，１５２  に通路カバー１３９  を後側から装着して通路ユニット９３の各通路９４〜９８を構成しているため、通路壁１３７，１３８，１４１，１４２，１４９，１５１，１５２  で裏機構板８４の下横板部９０を補強でき、下横板部９０の剛性、強度が著しく向上する。
【００６７】
また通路ユニット９３の各通路壁１３７，１３８，１４１，１４２，１４９，１５１，１５２  を裏機構板８４に一体に形成し、これに通路カバー１３９  を装着して通路ユニット９３を構成しているので、裏機構板８４とは別に通路カバー１３９  を備えれば良い。従って、合成樹脂成形で裏機構板８４、通路カバー１３９  を成形する場合にも、部品点数を削減でき、組み立て等も容易になる。
【００６８】
特に上下方向の遊技球回収通路９６を構成する通路壁１３７，１３８  を下横板部９０の後側に一体に形成しているため、下横板部９０の前側に従来のような縦補強リブを設ける必要がなく、構造が簡単になると共に、下横板部９０の前側にリード線配線部１４０  を容易に設けることが可能である。
【００６９】
そして、このリード線配線部１４０  を経て下横板部９０の前側に満杯検出スイッチ１５４  のリード線１５７  を配線し、このリード線１５７  の端部を下部側の払い出し制御基板１０３  に接続しているので、従来のように裏機構板８４の右縦板部９２に沿ってリード線１５７  を配線する必要がない。このため、裏機構板８４の左縦板部９１に沿ってリード線１５６  を配線すれば良い。
【００７０】
この結果、各リード線１５６，１５７  の配線作業が非常に容易になると共に、右縦板部９２にリード線係止部を設ける必要がなく、裏機構板８４を合成樹脂材料で一体成形する場合にも、裏機構板８４及びその成形金型の構造が非常に簡単になり、裏機構板８４の製作コストを低減できる。
【００７１】
また裏機構板８４の右縦板部９２にリード線１５７  を配線する必要がないので、右縦板部９２の左右の補強リブ１２３，１２４  間に連結リブ１２６  を設ける等の補強対策を講じることによって、右縦板部９２の幅を小さくできる。このため、右縦板部９２の幅が小さくなる分だけ、開口窓８５の左右方向の大きさを容易に確保することが可能である。つまり、右縦板部９２にリード線１５７  を配線する必要がないため、開口窓８５の大きさを大にできる。
【００７２】
更に満杯検出スイッチ１５４  はリード線１５７  を介して裏機構板８４の下部側の払い出し制御基板１０３  に接続し、この払い出し制御基板１０３  と上部基板１２７  とを左縦板部９１に沿って配線した多数本のリード線１５６  で接続しているため、リード線の無駄がなくなり、リード線の使用量を少なくして効率的に配線できる。
以上、本発明の実施例を詳述したが、本発明は実施例に限定されるものではない。例えば、実施例ではアレンジボール機を例示しているが、パチンコ機等の弾球遊技機においても同様に実施できる。
【００７３】
また実施例では、下部基板として払い出し制御基板１０３  を例示し、この払い出し制御基板１０３  に満杯検出スイッチ１５４  のリード線１５７  を接続しているが、裏機構板８４の下部側に対応する基板であれば、払い出し制御基板１０３  以外のものを利用しても良い。
更に、満杯検出スイッチ１５４  のリード線１５７  は払い出し制御基板１０３  に接続しているが、上部基板１２７  に接続するようにしても良い。
【００７４】
【発明の効果】
本発明によれば、満杯検出スイッチ154 のリード線157 を遊技球回収通路96の前側を左右方向に経由して効率的に配線できると共に、配線作業の能率化と裏機構板84の構造の簡素化ができ、しかもリード線の使用量を削減でき、更には開口窓85の開口量大きくできる
【図面の簡単な説明】
【図１】本発明の一実施例を示すアレンジボール機の正面図である。
【図２】本発明の一実施例を示すアレンジボール機の背面図である。
【図３】本発明の一実施例を示す裏機構板の下部側の断面背面図である。
【図４】図３のＡ−Ａ線矢視断面図である。
【図５】本発明の一実施例を示す遊技盤の中央部の断面図である。
【図６】図３のＢ−Ｂ線矢視断面図である。
【図７】本発明の一実施例を示す通路ユニット側の背面図である。
【図８】本発明の一実施例を示す通路ユニットの通路カバー取り外し状態の斜視図である。
【図９】本発明の一実施例を示す通路カバーの一部破断斜視図である。
【図１０】本発明の一実施例を示す裏機構板の開状態の正面図である。
【図１１】本発明の一実施例を示すブロック図である。
【図１２】従来の弾球遊技機の背面図である。
【図１３】従来の裏機構板の開状態の正面図である。
【図１４】従来の裏機構板の要部の斜視図である。
【図１５】従来の弾球遊技機のブロック図である。
【符号の説明】
５３    前枠
５８    遊技盤
７３    下皿
８３    裏カバー
８４    裏機構板
８５    開口窓
９６    遊技球回収通路
１０３      払い出し制御基板（下部基板）
１２７      上部基板
１２８      満杯表示ランプ
１２９      払い出し表示ランプ（他の電気部品）
１３０      球切れ表示ランプ（他の電気部品）
１３１      球切れ検出スイッチ（他の電気部品）
１３２，１３３，１３４，１３５，１５６，１５７    リード線
１３７，１３８      通路壁
１４０  リード線配線部
１５４      満杯検出スイッチ
１５６      リード線
【図１】
0003604097.tif 000002
【図２】
0003604097.tif 000003
【図３】
0003604097.tif 000004
【図４】
0003604097.tif 000005
【図５】
0003604097.tif 000006
【図６】
0003604097.tif 000007
【図７】
0003604097.tif 000008
【図８】
0003604097.tif 000009
【図９】
0003604097.tif 000010
【図１０】
0003604097.tif 000011
【図１１】
0003604097.tif 000012
【図１５】
0003604097.tif 000013
【図１２】
0003604097.tif 000014
【図１３】
0003604097.tif 000015
【図１４】
0003604097.tif 000016